(57)【要約】表示部（１）の周面に設けられるフレーム筐体（２）を、Ｌ字状に形成された複数の分割フレーム（８〜１１）を備えて構成する。また、分割フレーム（８〜１１）は、表示部（１）の周面に形成されたネジ孔（３）にネジ止めするための貫通孔を備えた複数の取付部（２０）を設けて形成する。さらに、貫通孔は、表示部（１）の周面に沿う方向に長軸方向を配した長円形孔として形成する。これにより、温度変化によって分割フレーム（８〜１１）に伸縮が生じた場合であっても、確実に分割フレーム（８〜１１）の貫通孔と表示部（１）のネジ孔（３）を連通させることができ、容易に組立作業を行うことが可能になる。また、ストレスが生じることを抑止することが可能になる。
2012008033.tif 000002
【特許請求の範囲】
【請求項１】
表示部の周面に設けられるフレーム筐体であって、
Ｌ字状に形成された複数の分割フレームを備え、
前記分割フレームは、前記表示部の周面に形成されたネジ孔にネジ止めするための貫通孔を備えた複数の取付部を設けて形成されており、
前記貫通孔が前記表示部の周面に沿う方向に長軸方向を配した長円形孔として形成されていることを特徴とするフレーム筐体。
【請求項２】
請求項１記載のフレーム筐体において、
前記取付部の貫通孔に挿通するとともに前記表示部のネジ孔に螺合させて、前記分割フレームを前記表示部の周面に取り付けるためのネジを備えて構成され、
前記ネジが、頭部の底面を平面状に形成したネジであることを特徴とするフレーム筐体。
【請求項３】
請求項１または請求項２に記載のフレーム筐体において、
前記取付部が、前記表示部の前面に保護ガラスを設けるときに使用する保護ガラス設置時用の貫通孔と、前記保護ガラスを設けないときに使用する通常時用の貫通孔の複数の貫通孔を備えて形成されており、
前記保護ガラス設置時用の貫通孔は、短軸の長さを前記通常時用の貫通孔の短軸の長さよりも小さくして形成されていることを特徴とするフレーム筐体。
【請求項４】
請求項１から請求項３のいずれかに記載のフレーム筐体において、
前記取付部は、前記分割フレームの外面から内面に向けて凹み、隠しラベルを嵌合する嵌合凹部と、該嵌合凹部の底面から前記分割フレームの内面に向けて凹み、ネジの頭部を収容するネジ頭部収容凹部と、該ネジ頭部収容凹部の底面から前記分割フレームの内面に貫通する前記貫通孔とを備えて形成されていることを特徴とするフレーム筐体。
【請求項５】
請求項１から請求項４のいずれかに記載のフレーム筐体において、
前記分割フレームは、両端部側に前記表示部の周方向に突出して薄肉で形成した接続部が設けられて、隣り合う前記分割フレームが互いの前記接続部同士を重ねて接続するように構成されるとともに、
前記分割フレームの一端部側に設けられ、前記接続部の先端から前記表示部の周方向に突出する係合凸部と、前記分割フレームの他端部側に設けられ、前記接続部の基端から周方向内側に凹む係合凹部とを備え、隣り合う前記分割フレームの互いの前記係合凸部と前記係合凹部を係合させて接続するように構成されていることを特徴とするフレーム筐体。
【請求項６】
請求項１から請求項５のいずれかに記載のフレーム筐体と、前記表示部とを備えて構成されていることを特徴とする表示装置。
【発明の詳細な説明】
【技術分野】
【０００１】
本発明は、表示部の周面に設けられるフレーム筐体及びこれを備える表示装置に関する。
【背景技術】
【０００２】
従来、液晶ディスプレイやプラズマディスプレイなどの表示装置においては、矩形盤状の表示部の周面に種々のフレーム筐体を取り付けて構成されている。また、フレーム筐体には、フレーム（表示部）の周方向に分割した複数の分割フレームを接続し、表示部の周面にネジ止めして取り付けるように構成したものがある（例えば、特許文献１参照）。【０００３】
さらに、複数の分割フレームはそれぞれ、プラスティック製でＬ字状に形成され、表示部の周面にネジ止めするための複数の貫通孔が周方向（長手方向）に所定の間隔をあけて、且つ幅方向（短手方向）にも所定の間隔をあけて貫通形成されている。そして、このように形成した分割フレームは、表示部の周面に設置するとともに各貫通孔と表示部の周面に形成されたネジ孔が連通し、これら貫通孔とネジ孔に皿ネジを挿通して規定のトルクで螺合させることによって、表示部に一体に取り付けられる。
【先行技術文献】
【特許文献】
【０００４】
【特許文献１】特開２００８−２４９９２６号公報
【発明の概要】
【発明が解決しようとする課題】
【０００５】
しかしながら、上記従来のフレーム筐体及び表示装置においては、周囲温度の高低によって分割フレームに熱変形が生じるため、組立時に表示部の周面に分割フレームを設置した状態で、各貫通孔と表示部のネジ孔の位置がずれてしまい、分割フレームの取り付けができなくなったり、ネジ止めした分割フレームにストレスが生じる場合があった。また、分割フレームの長さが長くなるほどに熱変形による伸縮量が大きくなるため、特に、５２インチ、５５インチ以上の表示装置に対応するフレーム筐体（分割フレーム）は、各貫通孔と表示部のネジ孔の位置ずれが生じやすく、組立工程で不具合が生じる場合がある。【０００６】
さらに、分割フレームを表示部に取り付けた後においても、表示装置の稼動時の熱や周囲温度の変化によってフレーム筐体に熱変形が生じ、フレーム筐体にストレスが生じてしまう。【０００７】
また、上記従来のフレーム筐体及び表示装置においては、皿ネジを用いて分割フレームを表示部に取り付けるように構成されているため、規定トルク以上の力で締め付けると、プラスティック製で薄肉の分割フレームを皿ネジが貫通してしまうことがあり、最悪の場合には、分割フレームを交換することが必要になってしまう。【０００８】
本発明は、上記事情に鑑み、分割フレームに熱変形が生じた場合であっても、分割フレームを表示部にネジ止めして好適に取り付けることを可能にし、また、熱変形に起因したストレスの発生を抑止することを可能にするフレーム筐体及びこれを備える表示装置を提供することを目的とする。
【課題を解決するための手段】
【０００９】
上記の目的を達するために、この発明は以下の手段を提供している。【００１０】
本発明のフレーム筐体は、表示部の周面に設けられるフレーム筐体であって、Ｌ字状に形成された複数の分割フレームを備え、前記分割フレームは、前記表示部の周面に形成されたネジ孔にネジ止めするための貫通孔を備えた複数の取付部を設けて形成されており、前記貫通孔が前記表示部の周面に沿う方向に長軸方向を配した長円形孔として形成されていることを特徴とする。【００１１】
この発明においては、分割フレームの各取付部に形成された貫通孔が長円形孔とされているため、温度変化によって分割フレームに伸縮が生じた場合であっても、確実に分割フレームの貫通孔と表示部のネジ孔を連通させることができ、これら貫通孔とネジ孔にネジを挿入／螺合して容易に組立作業を行うことが可能になる。さらに、このように確実に貫通孔とネジ孔が連通し、また、貫通孔が長円形孔とされているため、分割フレームに熱変形が生じた場合であっても、ストレスが生じることを抑止することが可能になる。【００１２】
また、本発明のフレーム筐体においては、前記取付部の貫通孔に挿通するとともに前記表示部のネジ孔に螺合させて、前記分割フレームを前記表示部の周面に取り付けるためのネジを備えて構成され、前記ネジが、頭部の底面を平面状に形成したネジであることが望ましい。【００１３】
この発明においては、分割フレームを固定するためのネジが平頭ネジなどの頭部の底面が平面状のネジであるため、頭部の平面状の底面が分割フレームの外面を圧接して分割フレームを表示部にネジ止めすることができる。このため、従来の皿ネジを用いた場合のように規定トルク以上の力で締め付けた際にプラスティック製で薄肉の分割フレームをネジが貫通してしまうようなことがなく、好適に分割フレームを表示部に固定して取り付けることが可能になる。【００１４】
さらに、本発明のフレーム筐体においては、前記取付部が、前記表示部の前面に保護ガラスを設けるときに使用する保護ガラス設置時用の貫通孔と、前記保護ガラスを設けないときに使用する通常時用の貫通孔の複数の貫通孔を備えて形成されており、前記保護ガラス設置時用の貫通孔は、短軸の長さを前記通常時用の貫通孔の短軸の長さよりも小さくして形成されていることがより望ましい。【００１５】
この発明においては、保護ガラス設置時用の貫通孔が、通常時用の貫通孔よりも短軸の長さを小さくして形成されているため、保護ガラス設置時用の貫通孔を使用してネジ止めした際に、ネジと保護ガラス設置時用の貫通孔の分割フレームの幅方向の遊びをなくすことができる（小さくすることができる）。これにより、表示部の前面に設けた保護ガラスと、保護ガラスの表面側に配される分割フレームの側端部（折り返し壁部の先端部）との間に所定の隙間をあけた状態で、確実に分割フレームを表示部に固定することができ、分割フレームの側端部が保護ガラスに接触して損傷が生じることを防止できる。【００１６】
また、本発明のフレーム筐体において、前記取付部は、前記分割フレームの外面から内面に向けて凹み、隠しラベルを嵌合する嵌合凹部と、該嵌合凹部の底面から前記分割フレームの内面に向けて凹み、ネジの頭部を収容するネジ頭部収容凹部と、該ネジ頭部収容凹部の底面から前記分割フレームの内面に貫通する前記貫通孔とを備えて形成されていることがさらに望ましい。【００１７】
この発明においては、隠しラベルを嵌合凹部に嵌合して設置することで、貫通孔やネジが外部に露出することを防止でき、表示装置のデザイン性を高めることが可能になる。また、このように構成した場合には、隠しラベルの外面を分割フレームの外面と面一になるようにすることができ、ネジの頭部が分割フレームの外面から外側に突出することがないため、このフレーム筐体を表示部に取り付けてなる表示装置をマルチディスプレイなどに好適に用いることも可能になる。【００１８】
さらに、本発明のフレーム筐体において、前記分割フレームは、両端部側に前記表示部の周方向に突出して薄肉で形成した接続部が設けられて、隣り合う前記分割フレームが互いの前記接続部同士を重ねて接続するように構成されるとともに、前記分割フレームの一端部側に設けられ、前記接続部の先端から前記表示部の周方向に突出する係合凸部と、前記分割フレームの他端部側に設けられ、前記接続部の基端から周方向内側に凹む係合凹部とを備え、隣り合う前記分割フレームの互いの前記係合凸部と前記係合凹部を係合させて接続するように構成されていることが望ましい。【００１９】
この発明においては、分割フレームの端部に接続部とともに係合凸部と係合凹部が設けられている。このため、表示部の周面に沿って各分割フレームを配設する際に、係合凸部を係合凹部に係合させながら、分割フレームの接続部同士が重なるように隣り合う分割フレームを設置することで、隣り合う分割フレームが誤挿入されることを防止できる。これにより、各分割フレームを容易に所定位置に配設することができるとともに、好適に隣り合う分割フレームを接続することが可能になる。【００２０】
本発明の表示装置は、上記のいずれかのフレーム筐体と、前記表示部とを備えて構成されていることを特徴とする。【００２１】
この発明においては、上記のフレーム筐体の作用効果を得ることが可能になる。
【発明の効果】
【００２２】
本発明のフレーム筐体及びこれを備える表示装置においては、分割フレームの各取付部に形成された貫通孔が長円形孔とされているため、温度変化によって分割フレームに伸縮が生じた場合であっても、確実に分割フレームの貫通孔と表示部のネジ孔を連通させることができ、これら貫通孔とネジ孔にネジを挿入／螺合して容易に組立作業を行うことが可能になる。さらに、このように確実に貫通孔とネジ孔が連通し、また、貫通孔が長円形孔とされているため、分割フレームに熱変形が生じた場合であっても、ストレスが生じることを抑止することが可能になる。【００２３】
これにより、製造歩掛りの向上を図ることが可能になるとともに、表示装置の信頼性の向上を図ることが可能になる。
【図面の簡単な説明】
【００２４】
【図１】本発明の一実施形態に係る表示装置を示す斜視図である。
【図２】本発明の一実施形態に係る表示装置を示す分解斜視図である。
【図３】本発明の一実施形態に係るフレーム筐体の分割フレームを示す平面図である。
【図４】本発明の一実施形態に係るフレーム筐体の分割フレームを示す側面図である。
【図５】本発明の一実施形態に係る分割フレームの接続部分を示す斜視図である。
【図６】本発明の一実施形態に係る分割フレームの接続部分を示す斜視図である。
【図７】本発明の一実施形態に係る分割フレームの取付部を示す平面図である。
【図８】本発明の一実施形態に係る分割フレームの取付部を示す断面図である。
【図９】本発明の一実施形態に係る分割フレームの取付部の貫通孔を示す平面図である。
【図１０】本発明の一実施形態に係る分割フレームの取付部の貫通孔を示す断面図である。
【図１１】本発明の一実施形態に係る表示装置を示す断面図であり、表示部に保護ガラスを設けた場合を示す図である。
【図１２】本発明の一実施形態に係る表示装置を示す断面図であり、表示部に保護ガラスを設けていない場合を示す図である。
【発明を実施するための形態】
【００２５】
以下、図１から図１２を参照し、本発明の一実施形態に係るフレーム筐体及びこれを備える表示装置について説明する。
【００２６】
本実施形態の表示装置Ａは、図１及び図２に示すように、矩形平盤状の表示部１と、この表示部１の周面の全面を覆って一体に取り付けられる矩形環状のフレーム筐体２とを備えて構成されている。
【００２７】
表示部１は、液晶やプラズマなどからなるものであり、その周面には、図２に示すように、厚さ方向Ｔ１略中央に、周方向Ｔ２に所定の間隔をあけてネジ孔３が形成されている。また、表示部１の周面には、表示部１を保護するための金属製で矩形環状の保護フレーム４が取り付けられており、この保護フレーム４は、フレーム筐体２の中に配設される（図１１参照）。なお、保護フレーム４には、表示部１に取り付けられた状態で、表示部１のネジ孔３と連通する連通孔５が形成されている。
【００２８】
また、保護フレーム４の表面には、Ｌ字状のバックカバー６が取り付けられており、このバックカバー６にも表示部１に取り付けられた状態で表示部１のネジ孔３及び保護フレーム４の連通孔５に連通する連通孔７が形成されている（図１２参照）。これにより、表示部１は、バックカバー６によって周面が形成されている。
【００２９】
一方、本実施形態のフレーム筐体２は、図１から図４に示すように、４つのプラスティック製の分割フレーム８、９、１０、１１を備えて周方向Ｔ２に分割可能に形成されている。また、これら分割フレーム８〜１１はそれぞれ、表示部１に取り付けた状態で表示部１の角部から周面を覆うように延びる長基板部１２と、表示部１の角部から長基板部１２と直交して周面の角部側の一部を覆うように延びる短基板部１３とを備えて、表示部１の角部に係合するようにＬ字状に形成されている。すなわち、Ｌ字状に形成した各分割フレーム８〜１１は、長基板部１２よりも短基板部１３の長さ寸法を短くし、長基板部１２と短基板部１３が直交するようにして一体形成されている。
【００３０】
また、長基板部１２及び短基板部１３の幅方向Ｔ１の一側端部には、長基板部１２及び短基板部１３に直交する方向に延在する前壁部１４が一側端部の全長にわたって設けられている。さらに、前壁部１４の幅方向の側端部側には、所定の角度をもって折り返された折り返し壁部１５が設けられている。これにより、長基板部１２、短基板部１３、前壁部１４、折り返し壁部１５からなる各分割フレーム８〜１１は、断面略Ｌ字状に形成されている。
【００３１】
また、図２から図６に示すように、長基板部１２と短基板部１３の周方向Ｔ２の端部及び前壁部１４の周方向Ｔ２の両端部（分割フレーム８〜１１の端部）には、隣り合う分割フレーム８〜１１同士を接続するための接続部１６、１７が設けられている。この接続部１６、１７は、長基板部１２と短基板部１３の端部及び前壁部１４の両端部から周方向Ｔ２外側に突出して形成されるとともに、その厚さを長基板部１２と短基板部１３と前壁部１４の厚さよりも小さな寸法（例えば半分の厚さ寸法）にして形成されている。
【００３２】
また、このとき、長基板部１２と短基板部１３のいずれか一方の一端部と、この一端部側の前壁部１４の一端部とに設けられた接続部１６は、内面を長基板部１２と短基板部１３と前壁部１４の内面と面一にして周方向外側に突出し、長基板部１２と短基板部１３の他端部と、この他端部側の前壁部１４の他端部とに設けられた接続部１７は、外面を長基板部１２と短基板部１３と前壁部１４の外面と面一にして周方向Ｔ２外側に突出して形成されている。そして、このように形成した分割フレーム８〜１１の接続部１６、１７同士を上下に重なるように嵌合させることによって、周方向Ｔ２に隣り合う分割フレーム８〜１１同士が一体に接続されている。
【００３３】
さらに、本実施形態の分割フレーム８〜１１においては、図５及び図６に示すように、前壁部１４の一方の接続部１６の先端から周方向Ｔ２外側に突出する係合凸部１８と、前壁部１４の他方の接続部１７の基端から周方向Ｔ２内側に凹む係合凹部１９とを備えて形成されている。そして、分割フレーム８〜１１の接続部１６、１７同士を上下に重なるように嵌合させることによって、周方向に隣り合う分割フレーム８〜１１同士を一体に接続する際には、係合凹部１９に係合凸部１８が係合することによって分割フレーム８〜１１同士が所定位置に案内されて接続され、誤挿入（誤接続）が防止される。また、このとき、分割フレーム８〜１１同士を一体に接続した状態で、係合凸部１８の先端と係合凹部１９の底部との間に所定の隙間が形成されるように係合凸部１８と係合凹部１９が形成されている。
【００３４】
さらに、図１から図３に示すように、各分割フレーム８〜１１には、短基板部１３あるいは短基板部１３に繋がる長基板部１２の基端側と長基板部１２の所定位置に、すなわち、表示部１のネジ孔３や連通孔５、７に対応した位置に、分割フレーム８〜１１を表示部１にネジ止めするための取付部２０が設けられている。
【００３５】
これら取付部２０は、図７から図１０に示すように、分割フレーム８〜１１の外面２１から内面２２に向けて凹み、隠しラベル２３を嵌合させる嵌合凹部２４と、嵌合凹部２４からさらに内面２２側に凹み、ネジ２５の頭部２５ａを収容するネジ頭部収容凹部２６とを備えて形成されている。さらに、取付部２０にはそれぞれ、ネジ頭部収容凹部２６の底面２６ａから分割フレーム８〜１１の内面２２に貫通し、ネジ２５の軸部２５ｂを挿通するための貫通孔２７、２８が分割フレーム８〜１１の幅方向Ｔ１に所定の間隔をあけて並設されている。
【００３６】
そして、本実施形態では、分割フレーム８〜１１を表示部１の周面の所定位置に配設した状態で、各取付部２０のいずれかの貫通孔２８（２７）が表示部１の所定位置に設けられたネジ孔３に連通し、この貫通孔２８（２７）とネジ孔３にネジ２５を挿通し螺合させることによって、分割フレーム８〜１１が表示部１の周面に取り付けられている。また、各取付部２０の嵌合凹部２４に隠しラベル２３が嵌合して取り付けられ、この隠しラベル２３によって、取付部２０の貫通孔２７、２８やネジ２５が外部に露出して表示装置Ａのデザインを損なうことが防止されている。
【００３７】
ここで、本実施形態では、例えば、分割フレーム８〜１１の厚さが３ｍｍとされ、嵌合凹部２４及び隠しラベル２３の厚さが０．５ｍｍとされ、ネジ頭部収容凹部２６の厚さが１．０ｍｍとされ、貫通孔２７、２８の長さが１．５ｍｍとされている。これにより、嵌合凹部２４に隠しラベル２３を嵌合させた状態でこの隠しラベル２３の外面と分割フレーム８〜１１の外面２１とが面一になるように、分割フレーム８〜１１の取付部２０が形成されている。
【００３８】
一方、本実施形態において、取付部２０に形成された２つの貫通孔２７、２８は、図９から図１２に示すように、一方の貫通孔２７が表示部１の前面に保護ガラス３０を設けるときに使用する保護ガラス設置時用の貫通孔（図１１参照）とされ、他方の貫通孔２８が保護ガラス３０を設けないときに使用する通常時用の貫通孔（図１２参照）とされている。そして、本実施形態では、これらの貫通孔２７、２８が、従来のように円形孔ではなく、長円形孔として形成され、長軸Ｓ１、Ｓ２方向を周方向に向けて形成されている。
【００３９】
さらに、図９に示すように、保護ガラス設置時用の貫通孔２７は、その短軸Ｓ３の長さを通常時用の貫通孔２８の短軸Ｓ４の長さよりも小さくして形成されている。
【００４０】
さらに、本実施形態において、フレーム筐体２を表示部１に取り付けるためのネジ２５には、図８に示すように、平頭ネジや鍋頭ネジなど、ネジ頭部収容凹部２６の底面２６ａに頭部２５ａの底面２５ｃが面接触して当接するネジ、すなわち、頭部２５ａの底面２５ｃが平面状に形成されたネジが用いられる。
【００４１】
次に、上記構成からなる本実施形態のフレーム筐体２を表示部１に取り付ける方法を説明するとともに、本実施形態のフレーム筐体２及びこれを備える表示装置Ａの作用及び効果について説明する。
【００４２】
まず、表示部１の周面を構成するバックカバー６の表面に沿って各分割フレーム８〜１１を配設する。このとき、係合凸部１８を係合凹部１９に係合させながら、分割フレーム８〜１１の接続部１６、１７同士が重なるように隣り合う分割フレーム８〜１１を設置する。これにより、隣り合う分割フレーム８〜１１が誤挿入（誤接続）されることがなく、各分割フレーム８〜１１が、長基板部１２及び短基板部１３をバックカバー６の表面に全面にわたって接触した状態で所定位置に配設されて、好適に隣り合う分割フレーム８〜１１が接続される。
【００４３】
また、このように各分割フレーム８〜１１を所定位置に配設すると、各分割フレーム８〜１１の各取付部２０に形成された貫通孔２７、２８と、表示部１のネジ孔３とが連通し、これら貫通孔２７、２８とネジ孔３にネジ２５を取り付け、さらに所定のトルクでネジ２５を締め付けることにより、分割フレーム８〜１１が表示部１の周面に一体に固定される。そして、各取付部の嵌合凹部に隠しラベルを嵌合させて表示装置の組立作業が完了する。
【００４４】
そして、このとき、各分割フレーム８〜１１の前壁部１４が表示部１の周縁部側の前面を全周にわたり覆った状態で配設され、保護ガラス３０を設けていない表示装置Ａでは、図１２に示すように折り返し壁部１５の先端（側端部）が表示部１の前面に当接した状態でフレーム筐体２が取り付けられる。また、保護ガラス３０を設けた表示装置Ａでは、図１１に示すように、折り返し壁部１５の先端と保護ガラス３０との間に所定の隙間をあけた状態でフレーム筐体２が取り付けられる。
【００４５】
ここで、フレーム筐体２の組立時の周囲温度や表示装置Ａの稼動時温度などによって、分割フレーム８〜１１が熱膨縮する場合がある。そして、各分割フレーム８〜１１は、このような温度変化によって伸縮し、長基板部１２は短基板部１３よりも大きな伸縮量で伸縮する。また、長基板部１２は、短基板部１３と繋がる基端側から先端（端部）側に近くなるほどにその伸縮量が大きくなる。
【００４６】
このため、従来、組立作業時に、周囲温度によって各取付部の貫通孔と表示部１のネジ孔３の位置がずれ、分割フレームの取り付けが困難になったり、取り付けた分割フレームにストレスが生じる場合があった。また、組立後においても、表示装置の稼動時温度や周囲温度によって分割フレームにストレスが生じる場合があった。
【００４７】
これに対し、本実施形態のフレーム筐体２及び表示装置Ａにおいては、分割フレーム８〜１１の各取付部２０に形成された貫通孔２７、２８が長円形孔とされている。このため、温度変化によって分割フレーム８〜１１に伸縮が生じた場合であっても、各分割フレーム８〜１１を表示部１の周面に配設した際に、確実に貫通孔２７、２８とネジ孔３が連通することになり、これら貫通孔２７、２８とネジ孔３にネジ２５を挿入し螺合して容易に組立作業が行える。また、このように確実に貫通孔２７、２８とネジ孔３が連通するため、表示部１に分割フレーム８〜１１をネジ２５で取り付けた状態で分割フレーム８〜１１に熱膨縮に起因したストレスが生じることが抑止される。
【００４８】
また、本実施形態では、分割フレーム８〜１１を表示部１に取り付けるためのネジ２５に平頭ネジを用い、頭部２５ａの平面状の底面２５ｃが取付部２０のネジ頭収容凹部２６の底面２６ａに圧接して分割フレーム８〜１１が表示部１にネジ止めされる。このため、従来の皿ネジを用いてフレーム筐体を表示部１に取り付けるように構成した場合のように、規定トルク以上の力で締め付けた際にプラスティック製で薄肉のフレーム筐体２を皿ネジが貫通してしまい、最悪の場合には、分割フレーム８〜１１を交換する必要が生じることがない。
【００４９】
さらに、表示部１の前面に保護ガラス３０を設けて表示装置Ａを製造する場合には、保護ガラス設置時用の貫通孔２７にネジ２５を挿入し表示部１のネジ孔３に螺合して、分割フレーム８〜１１を取り付ける。そして、このとき、保護ガラス設置時用の貫通孔２７が、通常時用の貫通孔２８に対して短軸Ｓ３を小さくして形成されているため、ネジ止めした際にネジ２５と貫通孔２７の遊びがなくなる（小さくなる）。これにより、表示部１の保護ガラス３０と分割フレーム８〜１１の折り返し壁部１５の先端との間に所定の隙間をあけた状態で分割フレーム８〜１１が表示部１に固定され、折り返し壁部１５の先端が保護ガラス３０に接触して損傷を生じさせることが確実に防止されることになる。
【００５０】
したがって、本実施形態のフレーム筐体２及びこれを備える表示装置Ａにおいては、分割フレーム８〜１１の各取付部２０に形成された貫通孔２７、２８が長円形孔とされているため、温度変化によって分割フレーム８〜１１に伸縮が生じた場合であっても、確実に分割フレーム８〜１１の貫通孔２７、２８と表示部１のネジ孔３を連通させることができ、これら貫通孔２７、２８とネジ孔３にネジを挿入／螺合して容易に組立作業を行うことが可能になる。さらに、このように確実に貫通孔２７、２８とネジ孔３が連通し、また、貫通孔２７、２８が長円形孔とされているため、分割フレーム８〜１１に熱変形が生じた場合であっても、ストレスが生じることを抑止することが可能になる。
【００５１】
これにより、本実施形態のフレーム筐体２及びこれを備える表示装置Ａによれば、製造歩掛りの向上を図ることが可能になるとともに、表示装置Ａの信頼性の向上を図ることが可能になる。
【００５２】
また、本実施形態のフレーム筐体２及びこれを備える表示装置Ａにおいては、分割フレーム８〜１１を固定するためのネジ２５が平頭ネジなどの頭部２５ａの底面２５ｃが平面状のネジであるため、頭部２５ａの平面状の底面２５ｃが分割フレーム８〜１１の外面（ネジ頭部収容凹部２６の底面２６ａ）を圧接して分割フレーム８〜１１を表示部１にネジ止めすることができる。このため、従来の皿ネジを用いた場合のように規定トルク以上の力で締め付けた際にプラスティック製で薄肉の分割フレーム８〜１１をネジ２５が貫通してしまうようなことがなく、好適に分割フレーム８〜１１を表示部１に固定して取り付けることが可能になる。
【００５３】
さらに、保護ガラス設置時用の貫通孔２７が、通常時用の貫通孔２８よりも短軸Ｓ３の長さを小さくして形成されているため、保護ガラス設置時用の貫通孔２７を使用してネジ止めした際に、ネジ２５と保護ガラス設置時用の貫通孔２７の分割フレーム８〜１１の幅方向Ｔ１の遊びをなくすことができる（小さくすることができる）。これにより、表示部１の前面に設けた保護ガラス３０と、保護ガラス３０の表面側に配される分割フレーム８〜１１の側端部（折り返し壁部１５の先端部）との間に所定の隙間をあけた状態で、確実に分割フレーム８〜１１を表示部１に固定することができ、分割フレーム８〜１１の側端部が保護ガラス３０に接触して損傷が生じることを防止できる。
【００５４】
また、隠しラベル２３を取付部２０に形成した嵌合凹部２４に嵌合して設置することで、貫通孔２７、２８やネジ２５が外部に露出することを防止でき、表示装置Ａのデザイン性を高めることが可能になる。また、このように構成した場合には、隠しラベル２３の外面を分割フレーム８〜１１の外面２１と面一になるようにすることができ、ネジ２５の頭部２５ａが分割フレーム８〜１１の外面２１から外側に突出することがないため、このフレーム筐体２を表示部１に取り付けてなる表示装置Ａをマルチディスプレイなどに好適に用いることも可能になる。
【００５５】
さらに、分割フレーム８〜１１の端部に接続部１６、１７とともに係合凸部１８と係合凹部１９が設けられている。このため、表示部１の周面に沿って各分割フレーム８〜１１を配設する際に、係合凸部１８を係合凹部１９に係合させながら、分割フレーム８〜１１の接続部１６、１７同士が重なるように隣り合う分割フレーム８〜１１を設置することで、隣り合う分割フレーム８〜１１が誤挿入されることを防止できる。これにより、各分割フレーム８〜１１を容易に所定位置に配設することができるとともに、好適に隣り合う分割フレーム８〜１１を接続することが可能になる。
【００５６】
以上、本実施形態のフレーム筐体及びこれを備える表示装置の一実施形態について説明したが、本発明は上記の一実施形態に限定されるものではなく、その趣旨を逸脱しない範囲で適宜変更可能である。
【００５７】
例えば、本実施形態では、各分割フレーム８〜１１の全ての取付部２０の貫通孔２７、２８が長円形孔として形成されているものとしたが、各分割フレーム８〜１１は温度変化によって伸縮し、短基板部１３よりも長基板部１４の伸縮量が大きくなるため、短基板部１３や長基板部１４の基端側に形成する取付部２０の貫通孔２７、２８、すなわち、伸縮量が小さく、表示部１のネジ孔３と位置ズレが生じない、あるいは位置ズレが許容される部分の貫通孔２７、２８は、従来と同様、円形孔として形成するようにしてもよい。
【００５８】
また、各取付部２０の２つの貫通孔２７、２８がともに長円形孔として形成されているものとしたが、一方の貫通孔を長円形孔、他方の貫通孔を円形孔として形成してもよい。
【産業上の利用可能性】
【００５９】
本発明は、分割フレームに熱変形が生じた場合であっても、分割フレームを表示部にネジ止めして好適に取り付けが行え、また、熱変形に起因したストレスの発生を抑止するフレーム筐体及びこれを備える表示装置を提供する。
【符号の説明】
【００６０】
１      表示部
２      フレーム筐体
３      ネジ孔
４      保護フレーム
５      連通孔
６      バックカバー
７      連通孔
８      分割フレーム
９      分割フレーム
１０    分割フレーム
１１    分割フレーム
１２    長基板部
１３    短基板部
１４    前壁部
１５    折り返し壁部
１６    接続部
１７    接続部
１８    係合凸部
１９    係合凹部
２０    取付部
２１    外面
２２    内面
２３    隠しラベル
２４    嵌合凹部
２５    ネジ
２５ａ  頭部
２５ｂ  軸部
２５ｃ  底面
２６    ネジ頭部収容凹部
２７    貫通孔（保護ガラス設置時用の貫通孔）
２８    貫通孔（通常時用の貫通孔）
３０    保護ガラス
Ａ      表示装置
Ｔ１    厚さ方向
Ｔ２    周方向
【図１】
2012008033.tif 000003
【図２】
2012008033.tif 000004
【図３】
2012008033.tif 000005
【図４】
2012008033.tif 000006
【図５】
2012008033.tif 000007
【図６】
2012008033.tif 000008
【図７】
2012008033.tif 000009
【図８】
2012008033.tif 000010
【図９】
2012008033.tif 000011
【図１０】
2012008033.tif 000012
【図１１】
2012008033.tif 000013
【図１２】
2012008033.tif 000014
【手続補正書】
【提出日】平成24年11月16日(2012.11.16)
【手続補正１】
【補正対象書類名】特許請求の範囲
【補正対象項目名】全文
【補正方法】変更
【補正の内容】
【特許請求の範囲】
【請求項１】
表示部の周面に設けられるフレーム筐体であって、
Ｌ字状に形成された複数の分割フレームを備え、
前記分割フレームは、前記表示部の周面に形成されたネジ孔にネジ止めするための貫通孔を備えた複数の取付部を設けて形成されており、
前記貫通孔が前記表示部の周面に沿う方向に長軸方向を配した長円形孔として形成されるとともに、
前記取付部が、前記表示部の前面に保護ガラスを設けるときに使用する保護ガラス設置時用の貫通孔と、前記保護ガラスを設けないときに使用する通常時用の貫通孔の複数の貫通孔を備えて形成され、
前記保護ガラス設置時用の貫通孔は、短軸の長さを前記通常時用の貫通孔の短軸の長さよりも小さくして形成されていることを特徴とするフレーム筐体。
【請求項２】
請求項１記載のフレーム筐体において、
前記取付部の貫通孔に挿通するとともに前記表示部のネジ孔に螺合させて、前記分割フレームを前記表示部の周面に取り付けるためのネジを備えて構成され、
前記ネジが、頭部の底面を平面状に形成したネジであることを特徴とするフレーム筐体。
【請求項３】
請求項１または請求項２に記載のフレーム筐体において、
前記取付部は、前記分割フレームの外面から内面に向けて凹み、隠しラベルを嵌合する嵌合凹部と、該嵌合凹部の底面から前記分割フレームの内面に向けて凹み、ネジの頭部を収容するネジ頭部収容凹部と、該ネジ頭部収容凹部の底面から前記分割フレームの内面に貫通する前記貫通孔とを備えて形成されていることを特徴とするフレーム筐体。
【請求項４】
請求項１から請求項３のいずれかに記載のフレーム筐体において、
前記分割フレームは、両端部側に前記表示部の周方向に突出して薄肉で形成した接続部が設けられて、隣り合う前記分割フレームが互いの前記接続部同士を重ねて接続するように構成されるとともに、
前記分割フレームの一端部側に設けられ、前記接続部の先端から前記表示部の周方向に突出する係合凸部と、前記分割フレームの他端部側に設けられ、前記接続部の基端から周方向内側に凹む係合凹部とを備え、隣り合う前記分割フレームの互いの前記係合凸部と前記係合凹部を係合させて接続するように構成されていることを特徴とするフレーム筐体。
【請求項５】
請求項１から請求項４のいずれかに記載のフレーム筐体と、前記表示部とを備えて構成されていることを特徴とする表示装置。
【手続補正２】
【補正対象書類名】明細書
【補正対象項目名】００１０
【補正方法】変更
【補正の内容】
【００１０】
本発明のフレーム筐体は、表示部の周面に設けられるフレーム筐体であって、Ｌ字状に形成された複数の分割フレームを備え、前記分割フレームは、前記表示部の周面に形成されたネジ孔にネジ止めするための貫通孔を備えた複数の取付部を設けて形成されており、前記貫通孔が前記表示部の周面に沿う方向に長軸方向を配した長円形孔として形成されるとともに、前記取付部が、前記表示部の前面に保護ガラスを設けるときに使用する保護ガラス設置時用の貫通孔と、前記保護ガラスを設けないときに使用する通常時用の貫通孔の複数の貫通孔を備えて形成され、前記保護ガラス設置時用の貫通孔は、短軸の長さを前記通常時用の貫通孔の短軸の長さよりも小さくして形成されていることを特徴とする。
【手続補正３】
【補正対象書類名】明細書
【補正対象項目名】００１１
【補正方法】変更
【補正の内容】
【００１１】
この発明においては、分割フレームの各取付部に形成された貫通孔が長円形孔とされているため、温度変化によって分割フレームに伸縮が生じた場合であっても、確実に分割フレームの貫通孔と表示部のネジ孔を連通させることができ、これら貫通孔とネジ孔にネジを挿入／螺合して容易に組立作業を行うことが可能になる。さらに、このように確実に貫通孔とネジ孔が連通し、また、貫通孔が長円形孔とされているため、分割フレームに熱変形が生じた場合であっても、ストレスが生じることを抑止することが可能になる。
また、保護ガラス設置時用の貫通孔が、通常時用の貫通孔よりも短軸の長さを小さくして形成されているため、保護ガラス設置時用の貫通孔を使用してネジ止めした際に、ネジと保護ガラス設置時用の貫通孔の分割フレームの幅方向の遊びをなくすことができる（小さくすることができる）。これにより、表示部の前面に設けた保護ガラスと、保護ガラスの表面側に配される分割フレームの側端部（折り返し壁部の先端部）との間に所定の隙間をあけた状態で、確実に分割フレームを表示部に固定することができ、分割フレームの側端部が保護ガラスに接触して損傷が生じることを防止できる。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【国際調査報告】
2012008033.tif 000015
2012008033.tif 000016
2012008033.tif 000017
2012008033.tif 000018